(57)【特許請求の範囲】
【請求項１】
鼻及び口を密閉するように鼻と顎前部と両頬に当接する輪郭部を有したインナーマスクであり、前記輪郭部は鼻に当接する上縁横袋条部と顎前部に当接する顎袋条部と両頬に当接する左頬側条部と右頬側条部が連続して構成され、前記上縁横袋条部には上ワイヤー部が挿入されており、前記顎袋条部には下ワイヤー部が挿入されており、前記上縁横袋条部の中間位置と前記顎袋条部の中間位置を結ぶように中央山状縦条部が形成されており、呼吸を容易にするために前記中央山状縦条部により鼻と口の前方に鼻口空間部が形成され、前記中央山状縦条部の左側は左側基布で密閉され、前記中央山状縦条部の右側は右側基布で密閉されており、前記下ワイヤー部を顎前部に対し山状に湾曲させて山状開口部を立設することができ、前記山状開口部を介して前記鼻口空間部と下方の外気を連通させて呼吸を楽に可能にすることを特徴とする立体インナーマスク。
【請求項２】
前記顎袋条部は下縁横袋条部であり、前記左頬側条部は前記上縁横袋条部の左端部と前記左側基布の左縁と前記下縁横袋条部の左端部を縫合して形成された左縁縫条部であり、前記右頬側条部は前記上縁横袋条部の右端部と前記右側基布の右縁と前記下縁横袋条部の右端部を縫合して形成された右縁縫条部であり、前記上ワイヤー部は前記上縁横袋条部に挿入された１本の上ワイヤーであり、前記下ワイヤー部は前記下縁横袋条部に挿入された１本の下ワイヤーであり、前記下ワイヤーを山状に湾曲させて前記山状開口部を立設する請求項１に記載の立体インナーマスク。
【請求項３】
前記顎袋条部は下縁横袋条部であり、前記左頬側条部は前記左側基布の左縁に形成された左縁袋条部であり、前記右頬側条部は前記右側基布の右縁に形成された右縁袋条部であり、前記上縁横袋条部と前記左縁袋条部と前記下縁横袋条部と前記右縁袋条部とは連続した１本の周回袋条部を周回状に形成して構成される請求項１に記載の立体インナーマスク。
【請求項４】
前記上ワイヤー部は前記上縁横袋条部に挿入された１本の上ワイヤーであり、前記下ワイヤー部は前記下縁横袋条部に挿入された１本の下ワイヤーであり、前記下ワイヤーを山状に湾曲させて前記山状開口部を立設する請求項３に記載の立体インナーマスク。
【請求項５】
前記上ワイヤー部は前記上縁横袋条部に挿入された１本の上ワイヤーであり、前記左縁袋条部と前記下縁横袋条部と前記右縁袋条部に連続する１本の下ワイヤーが挿入されており、前記下ワイヤー部は前記下ワイヤーの中で前記下縁横袋条部に挿入されている部分を云い、前記下縁横袋条部の前記下ワイヤー部を山状に湾曲させて前記山状開口部を立設する請求項３に記載の立体インナーマスク。
【請求項６】
前記上縁横袋条部と前記左縁袋条部と前記下縁横袋条部と前記右縁袋条部からなる周回袋条部に連続する１本の周回ワイヤーを周回状に挿入し、前記上ワイヤー部は前記上縁横袋条部に挿入されている前記周回ワイヤーの部分を云い、前記下ワイヤー部は前記下縁横袋条部に挿入されている前記周回ワイヤーの部分を云い、前記下縁横袋条部の前記下ワイヤー部を山状に湾曲させて前記山状開口部を立設する請求項３に記載の立体インナーマスク。
【請求項７】
前記左頬側条部は前記左側基布の湾曲左縁に形成された湾曲左縁袋条部であり、
前記右頬側条部は前記右側基布の湾曲右縁に形成された湾曲右縁袋条部であり、
前記顎袋条部は下方に湾曲した湾曲顎袋条部であり、前記湾曲左縁袋条部と前記湾曲顎袋条部と前記湾曲右縁袋条部は連続して一体状に湾曲した湾曲袋条部を形成し、前記上縁横袋条部と前記湾曲袋条部とは連続した１本の周回袋条部を周回状に構成する請求項１に記載の立体インナーマスク。
【請求項８】
前記上縁横袋条部に１本の上ワイヤーを挿入し、前記湾曲袋条部に１本の下ワイヤーを挿入し、前記上ワイヤー部は前記上ワイヤーに相当し、前記下ワイヤー部は前記湾曲顎袋条部に位置する前記下ワイヤーの部分を云い、前記下ワイヤー部を山状に湾曲させて前記山状開口部を立設する請求項７に記載の立体インナーマスク。
【請求項９】
前記上縁横袋条部と前記湾曲袋条部に連続する１本の周回ワイヤーを周回状に挿入し、前記上ワイヤー部は前記上縁横袋条部に位置する前記周回ワイヤーの部分を云い、前記下ワイヤー部は前記湾曲顎袋条部に位置する前記周回ワイヤーの部分を云い、前記湾曲顎袋条部の前記下ワイヤー部を山状に湾曲させて前記山状開口部を立設する請求項７に記載の立体インナーマスク。
【請求項１０】
前記中央山状縦条部は縫着により形成された突条の中央山状縦突縫条部からなる請求項１〜９のいずれかに記載の立体インナーマスク。
【請求項１１】
前記中央山状縦条部は縦ワイヤーが挿入された突条の中央山状縦袋条部からなる請求項１〜９のいずれかに記載の立体インナーマスク。
【請求項１２】
前記中央山状縦条部は積層された平繊維部である中央山状縦平条部からなる請求項１〜９のいずれかに記載の立体インナーマスク。
【請求項１３】
前記左側基布の顔面とは接触しない上面に左側袋部が形成され、及び／又は前記右側基布の顔面とは接触しない上面に右側袋部が形成されている請求項１〜１２のいずれかに記載の立体インナーマスク。
【請求項１４】
前記左側袋部及び／又は前記右側袋部に保冷剤を内装した請求項１３に記載の立体インナーマスク。
【請求項１５】
請求項１〜１４のいずれかの立体インナーマスクと、当該立体インナーマスクの顔面とは接触しない上側に立体性の無い平マスクを積層して使用することで全体として立体性を有することを特徴とする組合せ立体マスク。
【発明の詳細な説明】
【技術分野】
【０００１】
本発明は、顔面の鼻口部を覆うように装着される衛生マスクの一種であり、更に詳細には、立体性の無い平マスクを装着する際に一緒に使用する立体インナーマスクに関し、大きな鼻口空間部を形成して呼吸を容易にするとともに、必要に応じて下方外気と連通する山状開口部を強制的に形成して息苦しさを解消できる立体インナーマスク及び立体性の無い平マスクと併用する組合せ立体マスクに関する。
【背景技術】
【０００２】
図２１は、立体性の無い従来の平マスクを装着した顔側面図である。この平マスクには、市中で最も多く見られる複数段の折畳み部を有したプリーツマスクも含まれる。
図２１に示される平マスク２は、上縁部にノーズワイヤー４を挿入して鼻７１との密着性を高めているが、下縁部は自由端となっているため顎下面又は喉部との密着性が十分でない弱点があり、耳７３に掛けられるゴムの引張力だけで上記密着性を与えるに過ぎないものである。従って、ゴムの引張力を強くすると、顎下面又は喉部への食い込みが強く成るため息苦しくなる。また、この平マスク２は鼻７１及び口７２にもフワフワと接触して鼻口空間部７０が図示のように小さいから、呼吸する場合にも自由度が少なく息苦しくなる弱点がある。
【０００３】
図２２はノーズワイヤーとセンターワイヤーを有したダブルワイヤー型の従来の平マスクのネット写真図（非特許文献１）の一例である。
図２１の平マスク２では一本のノーズワイヤー４を有していただけであるが、図２２では口７２に当たる部分にセンターワイヤーを横方向に一本追加し、このセンターワイヤーの山状性を利用して上記鼻口空間部７０を大きくし、息苦しさを解消しようとするものである。
しかし、センターワイヤーによる山状部は横方向に一本入っているだけであり、前記山状部の縦方向への幅は極めて狭く、両唇を含む程の幅も無いのが実情である。従って、上記鼻口空間部７０を幅方向に大きくできないため、息苦しさが完全に解消できないのが実情である。
【０００４】
図２３はノーズワイヤーを一本だけ有した従来の立体インナーマスクのネット写真図（非特許文献２）である。この写真図から分かるように、この立体インナーマスクは、ノーズワイヤーと直交するように縫合線である中央山状縦突縫条部を有している。従って、上側に立体性の無い平マスクを積層使用した場合に、その中央山状縦突縫条部により鼻口空間部７０を大きくできる効果を有している。しかしながら、下縁に下ワイヤーを有していないから、下縁は顎前部又は顎下部への密着力に弱く、外気との遮断効果は十分ではない。
また、この立体インナーマスクを平マスクと併用したときには、顎下面や喉前部との密着力が増すが、装着状態のままでは、息苦しくなった時に下方外気から空気を吸い込み下方外気に吐き出すことができない弱点を有している。呼吸に伴う空気の吸い込みと吐き出しは、主としてこの立体インナーマスクと上側に積層される平マスクの繊維面の隙間を通して行われることになる。二つのマスクの繊維の隙間だけでしか呼吸できないとなると、繊維が密なマスクでは呼吸がしんどくなる傾向が強い。従って、楽な呼吸をしたいときには、二重のマスクを外すことしか解決策が無い、という弱点がある。
【先行技術文献】
【非特許文献】
【０００５】
【非特許文献１】ノーズワイヤーとセンターワイヤーを有したダブルワイヤー型の従来の平マスクのネット写真図の一例
【非特許文献２】ノーズワイヤーを一本だけ有しそれに直交して縫合線である中央山状縦突縫条部を有した従来の立体インナーマスクのネット写真図の一例
【発明の概要】
【発明が解決しようとする課題】
【０００６】
本発明は、立体性を有していないプリーツマスク等の平マスクを装着する際に、その内側で直接的に鼻口部を覆って鼻口空間部を確保する立体インナーマスクに関し、鼻に密着するための上ワイヤー部と鼻口空間部を大きくするための中央山状縦条部と顎前部に密着させるための下ワイヤー部を有することを特徴とする。しかも、通常は顎前部に密着させるための下ワイヤー部を、必要に応じて顎前部に逆Ｕ字状に立てて山状開口部を強制的に立設でき、この山状開口部を介して下方外気との通気を可能にし、下方から外気を吸い込み、且つ下方へ呼気を吐き出すことができ、マスク装着状態のまま必要に応じて呼吸を極めて楽に行うことができる立体インナーマスクを提供することを目的とする。また、この立体インナーマスクを立体性の無い平マスクと組み合わせて使用できる組合せ立体マスクを提供することを目的とする。
【課題を解決するための手段】
【０００７】
本発明は上記課題を解決するためになされたものであり、本発明の第１の形態は、鼻及び口を密閉するように鼻と顎前部と両頬に当接する輪郭部を有したインナーマスクであり、前記輪郭部は鼻に当接する上縁横袋条部と顎前部に当接する顎袋条部と両頬に当接する左頬側条部と右頬側条部が連続して構成され、前記上縁横袋条部には上ワイヤー部が挿入されており、前記顎袋条部には下ワイヤー部が挿入されており、前記上縁横袋条部の中間位置と前記顎袋条部の中間位置を結ぶように中央山状縦条部が形成されており、呼吸を容易にするために前記中央山状縦条部により鼻と口の前方に鼻口空間部が形成され、前記中央山状縦条部の左側は左側基布で密閉され、前記中央山状縦条部の右側は右側基布で密閉されており、前記下ワイヤー部を顎前部に対し山状に湾曲させて山状開口部を立設することができ、前記山状開口部を介して前記鼻口空間部と下方の外気を連通させて呼吸を楽に可能にすることを特徴とする立体インナーマスクである。
【０００８】
本発明の第２の形態は、前記第１形態において、前記顎袋条部は下縁横袋条部であり、前記左頬側条部は前記上縁横袋条部の左端部と前記左側基布の左縁と前記下縁横袋条部の左端部を縫合して形成された左縁縫条部であり、前記右頬側条部は前記上縁横袋条部の右端部と前記右側基布の右縁と前記下縁横袋条部の右端部を縫合して形成された右縁縫条部であり、前記上ワイヤー部は前記上縁横袋条部に挿入された１本の上ワイヤーであり、前記下ワイヤー部は前記下縁横袋条部に挿入された１本の下ワイヤーであり、前記下ワイヤーを山状に湾曲させて前記山状開口部を立設することができる立体インナーマスクである。
【０００９】
本発明の第３の形態は、前記第１形態において、前記顎袋条部は下縁横袋条部であり、前記左頬側条部は前記左側基布の左縁に形成された左縁袋条部であり、前記右頬側条部は前記右側基布の右縁に形成された右縁袋条部であり、前記上縁横袋条部と前記左縁袋条部と前記下縁横袋条部と前記右縁袋条部とは連続した１本の周回袋条部を周回状に形成して構成される立体インナーマスクである。
【００１０】
本発明の第４の形態は、前記第３形態において、前記上ワイヤー部は前記上縁横袋条部に挿入された１本の上ワイヤーであり、前記下ワイヤー部は前記下縁横袋条部に挿入された１本の下ワイヤーであり、前記下ワイヤーを山状に湾曲させて前記山状開口部を立設できる立体インナーマスクである。
【００１１】
本発明の第５の形態は、前記第３形態において、前記上ワイヤー部は前記上縁横袋条部に挿入された１本の上ワイヤーであり、前記左縁袋条部と前記下縁横袋条部と前記右縁袋条部に連続する１本の下ワイヤーが挿入されており、前記下ワイヤー部は前記下ワイヤーの中で前記下縁横袋条部に挿入されている部分を云い、前記下縁横袋条部の前記下ワイヤー部を山状に湾曲させて前記山状開口部を立設できる立体インナーマスクである。
【００１２】
本発明の第６の形態は、前記第３形態において、前記上縁横袋条部と前記左縁袋条部と前記下縁横袋条部と前記右縁袋条部からなる周回袋条部に連続する１本の周回ワイヤーを周回状に挿入し、前記上ワイヤー部は前記上縁横袋条部に挿入されている前記周回ワイヤーの部分を云い、前記下ワイヤー部は前記下縁横袋条部に挿入されている前記周回ワイヤーの部分を云い、前記下縁横袋条部の前記下ワイヤー部を山状に湾曲させて前記山状開口部を立設できる立体インナーマスクである。
【００１３】
本発明の第７の形態は、前記第１形態において、前記左頬側条部は前記左側基布の湾曲左縁に形成された湾曲左縁袋条部であり、前記右頬側条部は前記右側基布の湾曲右縁に形成された湾曲右縁袋条部であり、前記顎袋条部は下方に湾曲した湾曲顎袋条部であり、前記湾曲左縁袋条部と前記湾曲顎袋条部と前記湾曲右縁袋条部は連続して一体状に湾曲した湾曲袋条部を形成し、前記上縁横袋条部と前記湾曲袋条部とは連続した１本の周回袋条部を周回状に構成する立体インナーマスクである。
【００１４】
本発明の第８の形態は、前記第７形態において、前記上縁横袋条部に１本の上ワイヤーを挿入し、前記湾曲袋条部に１本の下ワイヤーを挿入し、前記上ワイヤー部は前記上ワイヤーに相当し、前記下ワイヤー部は前記湾曲顎袋条部に位置する前記下ワイヤーの部分を云い、前記下ワイヤー部を山状に湾曲させて前記山状開口部を立設できる立体インナーマスクである。
【００１５】
本発明の第９の形態は、前記第７形態において、前記上縁横袋条部と前記湾曲袋条部に連続する１本の周回ワイヤーを周回状に挿入し、前記上ワイヤー部は前記上縁横袋条部に位置する前記周回ワイヤーの部分を云い、前記下ワイヤー部は前記湾曲顎袋条部に位置する前記周回ワイヤーの部分を云い、前記湾曲顎袋条部の前記下ワイヤー部を山状に湾曲させて前記山状開口部を立設できる立体インナーマスクである。
【００１６】
本発明の第１０の形態は、前記第１〜９形態において、前記中央山状縦条部は縫着により形成された突条の中央山状縦突縫条部からなる立体インナーマスクである。
【００１７】
本発明の第１１の形態は、前記第１〜９形態において、前記中央山状縦条部は縦ワイヤーが挿入された突条の中央山状縦袋条部からなる立体インナーマスクである。
【００１８】
本発明の第１２の形態は、前記第１〜９形態において、前記中央山状縦条部は積層された平繊維部である中央山状縦平条部からなる立体インナーマスクである。
【００１９】
本発明の第１３の形態は、前記第１〜１２形態において、前記左側基布の顔面とは接触しない上面に左側袋部が形成され、及び／又は前記右側基布の顔面とは接触しない上面に右側袋部が形成されている立体インナーマスクである。
【００２０】
本発明の第１４の形態は、前記第１３形態において、前記左側袋部及び／又は前記右側袋部に保冷剤等の助剤を内装した立体インナーマスクである。
【００２１】
本発明の第１５の形態は、前記第１〜１４形態のいずれかの立体インナーマスクと、当該立体インナーマスクの顔面とは接触しない上側に立体性の無い平マスクを積層して使用することで全体として立体性を有することを特徴とする組合せ立体マスクである。
【発明の効果】
【００２２】
本発明の第１の形態によれば、鼻に当接する上縁横袋条部に上ワイヤー部が挿入されているから立体インナーマスクを鼻に密着させることができ、同時に顎前部に当接する顎袋条部には下ワイヤー部が挿入されているから立体インナーマスクを顎前部に密着させることができる。更に、両頬に当接するように左頬側条部と右頬側条部が形成されているから、両頬との密着性も良好である。総合すると、立体インナーマスクの輪郭部は鼻及び口の外周面と密着しており、外気との空気の出入りを極力遮断することができる利点がある。
また、上縁横袋条部と顎袋条部の中間位置同士を結ぶ中央山状縦条部が形成されるから、この中央山状縦条部によりこの立体インナーマスクが上方に膨出した状態に保持される。従って、マスク繊維面が鼻口部に接触せず鼻口の前方に鼻口空間部が大きく形成されるから、呼吸が極めて楽になる利点がある。この中央山状縦条部の具体的形状については、山状性を保持できる構造なら全て採用することができる。例えば、縦条部を縦平条部とする場合には、平繊維層を複数段に積層して厚く形成して強構造にしてもよいし、太繊維により縦平条部としても強構造を有し、山状性を確保することができる。また、縁かがり縫い等の縫合技術で縦突縫条部とすればその突条性により強構造を確保でき、山状性を発現することができる。更に、縦袋条部に縦ワイヤーを挿入して構成すれば縦ワイヤーにより山状強度を一層強固にすることができる。
特に本形態の特徴は、マスクによる息苦しさを感じたときに、マスクを装着した状態のまま、顎前部に対し前記顎袋条部の下ワイヤー部を逆Ｕ字状の湾曲状に立設して山状開口部を強制的に形成すれば、顎前部との間に山状開口部が通気口として安定して開口され、この山状開口部を通して下方から外気の空気を吸い込んだり、下方に呼気を吐き出したりして大きく呼吸を容易に行うことができ、これが本発明の最大の利点である。
前記中央山状縦条部と前記左頬側条部との間は左側基布で密閉され、前記中央山状縦条部と前記右頬側条部との間は右側基布で密閉されているから、基布を介して外気との間で確実に呼吸することができる。基布を介しての正面外気との呼吸では、基布の素材と基布の目の粗度を適度に選択することにより呼吸の楽さ加減を調節することができる。
【００２３】
本発明の第２の形態によれば、前記顎袋条部は下縁横袋条部であるから、当該下縁横袋状部の中に下ワイヤー部として１本の下ワイヤーを容易に挿入して収納できる。しかも下ワイヤーの両端が前記下縁横袋条部の中に自由端として存在するから、前記下ワイヤーを容易に左右動させることができ、逆Ｕ字状、即ち山状に湾曲させて山状開口部を極めて簡単に立設できるから、マスクをしたまま息苦しさを簡単且つ早急に解消できる利点がある。
また、前記左頬側条部は左縁縫条部として縫合形成でき、同時に前記右頬側条部も右縁縫条部として縫合形成できるから、左縁縫条部と右縁縫条部を例えば縁かがり縫い等の縫合技術で太くて両頬に密着性があるように簡単に形成できる利点がある。
【００２４】
本発明の第３の形態によれば、前記顎袋条部は下縁横袋条部であり、前記左頬側条部は前記左側基布の左縁に形成された左縁袋条部であり、前記右頬側条部は前記右側基布の右縁に形成された右縁袋条部であるから、上縁横袋条部を加えると四辺全部が袋状部であり、四辺の袋状部を連続した１本の周回袋条部で周回状に形成される立体インナーマスクが提供される。従って、１本の周回袋条部で立体インナーマスクの輪郭部を構成でき、製造工程と製造時間の短縮により極めて効率的に立体インナーマスクを製造できるから、立体インナーマスクを低価格で提供できる利点がある。
【００２５】
本発明の第４の形態によれば、前記第３形態において、四辺の袋状部を連続した１本の周回袋条部で周回状に形成できる利点に加えて、前記下ワイヤー部を前記下縁横袋条部に挿入された１本の下ワイヤーで構成するから、下ワイヤーを山状に湾曲させて山状開口部を立設することが極めて容易になる。即ち、前記下縁横袋条部に挿入された１本の下ワイヤーの両端は自由端になるため、下ワイヤーの動き自由度が高くなり、即ち、下ワイヤーの左右動の調整が容易になる結果、前記下縁横袋条部を山状に湾曲させて山状開口部を極めて簡単に立設できる特徴がある。
【００２６】
本発明の第５の形態によれば、前記第３形態において、四辺の袋状部を連続した１本の周回袋条部で周回状に形成できる利点に加えて、前記左縁袋条部と前記下縁横袋条部と前記右縁袋条部に連続する１本の下ワイヤーが挿入されるから、下ワイヤーの左端部は左縁袋条部に存在し、下ワイヤーの右端部は右縁袋条部に存在する。従って、左縁袋条部は下ワイヤーの左端部により頬面に密着され、右縁袋条部は下ワイヤーの右端部により頬面に密着されるから、立体インナーマスクの頬面との密着性を格段に向上できる。
従って、前記下縁横袋条部の中に挿入されている下ワイヤーの一部分が下ワイヤー部となり、下縁横袋条部の中の前記下ワイヤー部を山状に湾曲させると、山状開口部の両端は顎前部に対して突刺状では無くアール状になるため、柔らかく顎前部に当たり、皮膚感覚がマイルドな山状開口部を立設できる利点がある。従って、息苦しくなった時に山状開口部を簡単に立設できるだけでなく、マスク装着状態のままマイルドな感覚で下方外気との呼吸を楽に行える利点を有する。
【００２７】
本発明の第６の形態によれば、前記第３形態において、四辺の袋状部を連続した１本の周回袋条部で周回状に形成できる利点に加えて、前記上縁横袋条部と前記左縁袋条部と前記下縁横袋条部と前記右縁袋条部からなる周回袋条部に連続する１本の周回ワイヤーが周回状に挿入されるから、左縁袋条部には左縁ワイヤー部が存在し、右縁袋条部にも右縁ワイヤー部が存在する。従って、上縁横袋条部の上ワイヤー部と下縁横袋条部の下ワイヤー部を加えると、立体インナーマスクの輪郭部の四辺全てがワイヤー部により鼻口の外周面に圧接されており、立体インナーマスクの全輪郭部が鼻口外周面に確実に密着され、外気との遮断性が一層に向上する利点を有する。
特に、息苦しくなったときには、前記下縁横袋条部の下ワイヤー部を山状に湾曲させて顎前部に対し山状開口部を容易に立設できるだけでなく、マスク装着状態のままマイルドな感覚で下方外気との呼吸を楽に行える利点を有する。
【００２８】
本発明の第７の形態によれば、前記第１形態において、前記左頬側条部は前記左側基布の湾曲左縁に形成された湾曲左縁袋条部であり、前記右頬側条部は前記右側基布の湾曲右縁に形成された湾曲右縁袋条部であり、前記顎袋条部は下方に湾曲した湾曲顎袋条部であるから、前記上縁横袋条部を加えると四辺全部が袋状部であり、四辺の袋状部を連続した１本の周回袋条部で周回状に形成される立体インナーマスクが提供される。
特に、前記湾曲左縁袋条部と前記湾曲顎袋条部と前記湾曲右縁袋条部の三辺を合せて連続した一体状の湾曲袋条部と呼称し、前記上縁横袋条部を加えると上縁横袋条部と湾曲袋条部とを、四辺の袋状部を連続した１本の周回袋条部で周回状に形成して立体インナーマスクを構成するものである。
従って、１本の周回袋条部で立体インナーマスクの輪郭部を構成でき、製造工程と製造時間の短縮により極めて効率的に立体インナーマスクを製造できるから、立体インナーマスクを低価格で提供できる利点がある。
【００２９】
本発明の第８の形態によれば、前記第７形態において、四辺の袋状部を連続した１本の周回袋条部で周回状に形成できる効率化の利点に加えて、前記上縁横袋条部に１本の上ワイヤーを挿入し、前記湾曲袋条部に１本の下ワイヤーを挿入するから、マスクの輪郭部が鼻口外周面に上ワイヤーと下ワイヤーで押圧されるため、輪郭部を介しての外気との遮断性が高くなる利点を有する。
ここで、前記上ワイヤー部は上ワイヤーに相当する。また、下ワイヤーの左端部が前記湾曲左縁袋条部まで伸び、且つ下ワイヤーの右端部が前記湾曲右縁袋条部まで伸びている場合には、前記下ワイヤー部とは、下ワイヤーのうち前記湾曲顎袋条部に位置する下ワイヤーの部分に相当している。
従って、前記湾曲左縁袋条部は下ワイヤーの左端部により頬面に密着され、前記湾曲右縁袋条部は下ワイヤーの右端部により頬面に密着されるから、立体インナーマスクの頬面との密着性を格段に向上できる。
前記湾曲顎袋条部の中に挿入されている下ワイヤーの部分を山状に湾曲させると、山状開口部の両端は顎前部に対して突刺状では無くアール状になるため、柔らかく顎前部に当たり、皮膚感覚がマイルドな山状開口部を立設できる利点がある。従って、息苦しくなった時に山状開口部を簡単に立設できるだけでなく、マスク装着状態のままマイルドな感覚で下方外気との呼吸を楽に行える利点を有する。
【００３０】
本発明の第９の形態によれば、前記第７形態において、四辺の袋状部を連続した１本の周回袋条部で周回状に形成できる効率化の利点に加えて、前記上縁横袋条部と前記湾曲左縁袋条部と前記湾曲顎袋条部と前記湾曲右縁袋条部の四辺に連続する１本の周回ワイヤーを周回状に挿入するから、湾曲左縁袋条部には左縁ワイヤー部が存在し、湾曲右縁袋条部にも右縁ワイヤー部が存在する。従って、上縁横袋条部の上ワイヤー部と湾曲顎袋条部の下ワイヤー部を加えると、立体インナーマスクの輪郭部の四辺全てがワイヤー部により鼻口周囲の外周面に圧接されており、立体インナーマスクの全輪郭部が鼻口周囲の外周面に確実に密着され、外気との遮断性が一層に向上する利点を有する。
特に、息苦しくなったときには、前記湾曲顎袋条部の下ワイヤー部を山状に湾曲させて顎前部に対し山状開口部を容易に立設できるだけでなく、マスク装着状態のままで下方外気との呼吸を楽に行える利点を有する。
【００３１】
本発明の第１０の形態によれば、前記第１〜９形態において述べた技術的効果に加えて、前記中央山状縦条部は縫着により形成された突条の中央山状縦突縫条部からなり、縦突縫条部を太目で強固な突条性を発現できる縁かがり縫い等の縫着技術により形成すれば折れ曲り強度や湾曲強度が強いため、山状形態を強力に保持することができ、大きな鼻口空間部を安定して形成することができ、息苦しさを解消することができる利点がある。
【００３２】
本発明の第１１の形態によれば、前記第１〜９形態において述べた技術的効果に加えて、前記中央山状縦条部は縦ワイヤーが挿入された突条の中央山状縦袋条部からなる立体インナーマスクが提供される。縦ワイヤーにより山状形態を安定して保持でき、しかも山状形態は指操作で湾曲度を可変できるから、所望により鼻口空間部を大小可変することができる。
【００３３】
本発明の第１２の形態によれば、前記第１〜９形態において述べた技術的効果に加えて、前記中央山状縦条部は積層された平繊維部である中央山状縦平条部からなる立体インナーマスクが提供される。複数段の平繊維部を積層すれば強度が増大し、また平繊維部の繊維を太くすれば平繊維部が厚くなるだけでなく積層により一層強度が増大できる。この中央山状縦平条部により山状形態を安定して保持でき、鼻口空間部を大きく形成して息苦しさを解消することができる。
【００３４】
本発明の第１３の形態によれば、前記第１〜１２形態において述べた技術的効果に加えて、前記左側基布の顔面とは接触しない上面に左側袋部が形成され、及び／又は前記右側基布の顔面とは接触しない上面に右側袋部が形成されている立体インナーマスクを提供することができる。袋部は左側袋部だけでもよいし、右側袋部だけでもよいし、左側袋部と右側袋部の両方が形成されてもよい。この袋部には所望により種々の物を内装することができる。
【００３５】
本発明の第１４の形態によれば、前記第１３形態において、前記左側袋部及び／又は前記右側袋部に保冷剤等の助剤を内装した立体インナーマスクが提供できる。夏場には、袋部に保冷剤を装着することにより鼻口空間部を冷却でき、冬場には、袋部に保温剤を装着することもできる。前記助剤には、保冷剤や保温剤だけでなく、加湿剤や芳香剤等、所望により種々の助剤を内装することが可能である。
【００３６】
本発明の第１５の形態によれば、前記第１〜１４形態の立体インナーマスクと、当該立体インナーマスクの鼻口とは接触しない上側に立体性の無い平マスクを積層して使用することで全体として立体性を有することを特徴とする組合せ立体マスクを提供することができる。ここで立体性の無い平マスクとは、装着すると鼻や口に接触してくるマスクで、プリーツマスク等が典型例である。
この平マスクを鼻口部に装着すると、平マスクの内面が鼻や口に接触してくるので息苦しくなり、平マスクを外して呼吸を整えることがよくある。そこで、本発明に係る立体インナーマスクを鼻口部にまず装着し、その上に平マスクを積層状態で組み合わせて装着すれば、立体インナーマスクが鼻口空間部を大きく形成してくれるので、息苦しさが解消される効果がある。
しかも、下ワイヤー部又は下ワイヤーを逆Ｕ字状、即ち山状に顎前部に対して立てて山状開口部を立設すると、山状開口部が下方に向かって通気口となり、下方から外気を吸い、下方に呼気を排気することができるので、マスクを外して呼吸する必要が無くなると云う効果がある。
【図面の簡単な説明】
【００３７】
【図１】図1は、本発明に属する第１群の３種類の立体インナーマスク１の実施例の斜視図である。第1群とは、輪郭部６が略多角形で、その左頬側条部４０を左縁縫条部４１とし、右頬側条部５０を右縁縫条部４２とした立体インナーマスク１を云う。ここで、（１Ａ）は中央山状縦条部３０を中央山状縦突縫条部３１とした第１の立体インナーマスク１、（１Ｂ）は中央山状縦条部３０を中央山状縦袋条部３２とした第２の立体インナーマスク１、（１Ｃ）は中央山状縦突縫条部３１を有して左側袋部６１と右側袋部６２を形成した第３の立体インナーマスク１を示す。
【図２】図２は、本発明に属する第２群の３種類の立体インナーマスク１の実施例の斜視図である。第２群とは、輪郭部６が略多角形で１本の周回袋条部５５からなる立体インナーマスク１を云う。ここで、（２Ａ）は中央山状縦条部３０を中央山状縦突縫条部３１とした第４の立体インナーマスク１、（２Ｂ）は中央山状縦条部３０を中央山状縦袋条部３２とした第５の立体インナーマスク１、（２Ｃ）は中央山状縦突縫条部３１を有して左側袋部６１と右側袋部６２を形成した第６の立体インナーマスク１を示す。
【図３】図３は、本発明に属する第３群の３種類の立体インナーマスク１の実施例の斜視図である。第３群とは、輪郭部６が上縁横袋条部１０と湾曲袋条部６０から構成された１本の周回袋条部５５からなる立体インナーマスク１を云う。ここで、（３Ａ）は中央山状縦条部３０を中央山状縦突縫条部３１とした第７の立体インナーマスク１、（３Ｂ）は中央山状縦条部３０を中央山状縦平条部３５とした第８の立体インナーマスク１、（３Ｃ）は中央山状縦突縫条部３１を有して左側袋部６１と右側袋部６２を形成した第９の立体インナーマスク１を示す。
【図４】図４は、第１群の立体インナーマスク１の実物の写真図であり、（４Ａ）は（１Ａ）の表面写真図、（４Ｂ）は（１Ｃ）の表面写真図である。
【図５】図５は、第１群の立体インナーマスク１の実物の写真図であり、（５Ａ）は（１Ａ）を折り畳んだ側面写真図、（５Ｂ）は（１Ａ）を裏側から撮影した裏側写真図である。
【図６】図６は、第２群と第３群の立体インナーマスク１の実物の写真図であり、（６Ａ）は（２Ａ）を裏側から撮影した裏側写真図、（６Ｂ）は（３Ｂ）の表面写真図である。
【図７】図７は、第３群の立体インナーマスク１の実物の写真図であり、（７Ａ）は（３Ａ）の表側写真図、（７Ｂ）は（３Ａ）を裏側から撮影した裏側写真図である。
【図８】図８は第1群と第３群の立体インナーマスク１を装着したときに顎前部７７に開口される山状開口部７８を発現させた状態のマスク装着図であり、（８Ａ）は（１Ａ）を装着したマスク装着図、（８Ｂ）は（３Ｂ）を装着したマスク装着図である。
【図９】（９Ａ）は下ワイヤー部２１の左右両端が下縁だけで途切れた本発明に係る立体インナーマスク１の上側に立体性の無い平マスク２を積層使用した組合せ立体マスク３の顔装着側面図、（９Ｂ）はその山状開口部７８を立設した状態の顔装着側面図である。
【図１０】（１０Ａ）は下ワイヤー部２１の左右両端が頬上部まで到達している本発明に係る立体インナーマスク１の上側に立体性の無い平マスク２を積層使用した組合せ立体マスク３の顔装着側面図、（１０Ｂ）は山状開口部７８を立設した状態の顔装着側面図である。
【図１１】（１１Ａ）は上ワイヤー部１１と下ワイヤー部２１が連続した周回ワイヤーを用いた本発明に係る立体インナーマスク１の上側に立体性の無い平マスク２を積層使用した組合せ立体マスク３の顔装着側面図、（１１Ｂ）はその山状開口部７８を立設した状態の顔装着側面図である。
【図１２】図１２は、縦ワイヤー３３を有した本発明に係る立体インナーマスク１の上側に立体性の無い平マスク２を積層使用した組合せ立体マスク３の顔装着側面図である。
【図１３】図１３は、左側袋部６１と右側袋部６２を有した本発明に係る立体インナーマスク１の上側に立体性の無い平マスク２を積層使用した組合せ立体マスク３の顔装着側面図である。
【図１４】図１４は、図１（１Ａ）に示される立体インナーマスク１を製造する前半工程図である。
【図１５】図１４は、図１（１Ａ）に示される立体インナーマスク１を製造する後半工程図である。
【図１６】図１６は、図１（１Ｂ）に示される立体インナーマスク１を製造する要部工程図である。
【図１７】図１７は、図２（２Ａ）に示される立体インナーマスク１を製造する要部工程図である。
【図１８】図１８において、（１８Ａ）は図２（２Ｂ）に示される立体インナーマスク１を製造する要部組立図、（１８Ｂ）は図２（２Ｃ）に示される立体インナーマスク１を製造する要部組立図である。
【図１９】図１９は、図３（３Ｂ）に示される立体インナーマスク１を製造する製造工程図である。
【図２０】図２０において、（２０Ａ）は図３（３Ａ）に示される立体インナーマスク１を製造する要部組立図、（２０Ｂ）は図３（３Ｃ）に示される立体インナーマスク１を製造する要部組立図である。
【図２１】立体性の無い従来の平マスク２を装着した顔装着側面図ある。
【図２２】ノーズワイヤーとセンターワイヤーを有した従来のマスク（非特許文献１）を装着したネット写真図ある。
【図２３】ノーズワイヤーだけを有した従来のインナーマスク（非特許文献２）のネット写真図である。
【発明を実施するための形態】
【００３８】
以下に、本発明に係る立体インナーマスク及びそれを内装した組合せ立体マスクの実施形態を図面に従って詳細に説明する。
【００３９】
図1は、本発明に属する第１群の３種類の立体インナーマスク１の実施例の斜視図である。第1群とは、輪郭部６が略多角形で、その左頬側条部４０を左縁縫条部４１とし、右頬側条部５０を右縁縫条部４２としている点に特徴を有する立体インナーマスク１を云う。ここで、（１Ａ）は中央山状縦条部３０を中央山状縦突縫条部３１とした第１の立体インナーマスク１、（１Ｂ）は中央山状縦条部３０を縦ワイヤー３３が挿入された中央山状縦袋条部３２とした第２の立体インナーマスク１、（１Ｃ）は前記中央山状縦突縫条部３１を有して左側袋部６１と右側袋部６２を形成した第３の立体インナーマスク１を示す。
【００４０】
更に詳述すると、図１の（１Ａ）〜（１Ｃ）に図示されるように、前記第1群の立体インナーマスク１では、その輪郭部６は略多角形に構成されており、その左頬側条部４０と右頬側条部５０は袋条部ではなく、例えば縁かがり縫い等の縫合技術を用いて縫合形成されている点に特徴を有している。ここでは、その左頬側条部４０は左縁縫条部４１となり、右頬側条部５０は右縁縫条部４２として構成されている。
【００４１】
図（１Ａ）は前記第１群の中で第１の立体インナーマスク１に関するもので、中央山状縦条部３０を例えば縁かがり縫い等で形成された中央山状縦突縫条部３１としている点に特徴を有す。中央山状縦突縫条部３１を有しているために、立体インナーマスク１を装着しても、鼻や口に対し湾曲状に浮き上がり、大きな鼻口空間部を形成して呼吸を楽にする効果を発現できる。
この立体インナーマスク１の輪郭部６は、一点鎖線で示された上ワイヤー１１ａが上ワイヤー部１１として内部に挿入された上縁横袋条部１０と、右頬側条部５０として縫合された前記右縁縫条部４２と、一転鎖線で示された下ワイヤー２１ａが下ワイヤー部２１として内部に挿入された下縁横袋条部２３（上位概念である顎袋条部２０に相当）と、左頬側条部４０として縫合された左縁縫条部４１から形成されている。前記上縁横袋条部１０は縫合線１０ｄで縫合され、前記下縁横袋条部２３は縫合線２３ｄで縫合されている。
【００４２】
前記上縁横袋条部１０の中間位置から前記下縁横袋条部２３の中間位置へと中央山状縦条部３０として中央山状縦突縫条部３１が山状形態で且つ突条として線状に形成されている。この中央山状縦突縫条部３１は例えば縁かがり縫い等の縫合技術により突条に形成されたものである。ここでは、二重符号として３１（３０）と書かれている場合には、中央山状縦条部３０として中央山状縦突縫条部３１が縫合形成されていることを示している。他の二重符号も同様であることは云うまでもない。
前記中央山状縦突縫条部３１と左縁縫条部４１の間には左側基布５１が張設されており、前記中央山状縦突縫条部３１と右縁縫条部４２の間には右側基布５２が張設されている。従って、この立体インナーマスク１は、例えばお寺の屋根状のような略多角形体の立体形状をしていると考えられたい。
前記上縁横袋条部１０の左端部１０ｂと前記左側基布５１の左縁５１ｄと前記下縁横袋条部２３の左端部２３ｂは前記左縁縫条部４１により一体に縫合されている。また、前記上縁横袋条部１０の右端部１０ｃと前記右側基布５２の右縁５２ｄと前記下縁横袋条部２３の右端部２３ｃも前記右縁縫条部４２により一体に縫合されている。
【００４３】
図（１Ｂ）は前記第１群の中で第２の立体インナーマスク１に関するもので、中央山状縦条部３０として縦ワイヤー３３を挿入した中央山状縦袋条部３２を形成している点に特徴を有す。図１６で後述するように、前記中央山状縦袋条部３２は、全長に亘って縦袋孔３４ａを有しており、この縦袋孔３４ａの中に縦ワイヤー３３が挿入されて山状形態を保持している。
縦ワイヤー３３を挿入した中央山状縦袋条部３２を有しているために、立体インナーマスク１を装着しても、鼻や口に対し強力に湾曲状に浮き上がり、大きな鼻口空間部を形成して呼吸を楽にできる効果を発現できる。他の構造に関しては、図（１Ａ）と同一である。
【００４４】
尚、図示はしていないが、縦ワイヤー３３を挿入した中央山状縦袋条部３２の替わりに、中央山状縦条部３０として図３の（３Ｂ）に示すように、中央山状縦平条部３５を使用しても良い。この中央山状縦平条部３５は平繊維体を複数層積層して厚く強固に形成すれば、山状形態を形成することができる。平繊維体の繊維糸を太くしたり、積層段数を増加することによってより強固な中央山状縦平条部３５を構成でき、マスク装着時に大きな鼻口空間部を形成してマスクを介しての呼吸を楽にすることが可能になる。
【００４５】
図（１Ｃ）は前記第１群の中で第３の立体インナーマスク１に関するもので、中央山状縦条部３０として前記中央山状縦突縫条部３１を有し、左側基布５１に左側袋部６１を形成し、右側基布５２に右側袋部６２を形成している。
即ち、第３の立体インナーマスク１を特徴づける点は、左側基布５１の上に左側袋部６１が形成され、右側基布５２の上に右側袋部６２が形成されていることだけである。想像線を付したのは左側袋部６１と右側袋部６２の入口が開口されていることを示している。袋部は左側袋部６１だけでもよいし、右側袋部６２だけでもよいし、左側袋部６１と右側袋部６２の両方が形成されてもよい。
この袋部には所望により種々の物を内装することができる。例えば、夏場には、袋部に保冷剤を装着することにより鼻口空間部を冷却でき、冬場には、袋部に保温剤を装着することもできる。その他の助剤として、加湿剤や芳香剤等、所望により種々の助剤を内装することが可能である。
尚、図（１Ｃ）において、中央山状縦条部３０として、前記中央山状縦突縫条部３１だけでなく、縦ワイヤー３３を挿入した中央山状縦袋条部３２を使用してもよいし、中央山状縦平条部３５を使用してもよいことは云うまでもない。
【００４６】
図２は、本発明に属する第２群の３種類の立体インナーマスク１の実施例の斜視図である。第２群とは、輪郭部６が略多角形で１本の周回袋条部５５からなることを特徴とする立体インナーマスク１を云う。ここで、（２Ａ）は中央山状縦条部３０を中央山状縦突縫条部３１とした第４の立体インナーマスク１、（２Ｂ）は中央山状縦条部３０を縦ワイヤー３３が挿入された中央山状縦袋条部３２とした第５の立体インナーマスク１、（２Ｃ）は中央山状縦突縫条部３１を有して左側袋部６１と右側袋部６２を形成した第６の立体インナーマスク１を示す。
【００４７】
更に詳述すると、図２の（２Ａ）〜（２Ｃ）に図示されるように、前記第２群の立体インナーマスク１では、その輪郭部６は略多角形で１本の周回袋条部５５から構成されており、その左頬側条部４０は左縁袋条部５３となり、右頬側条部５０は右縁袋条部５４となり、更に上縁横袋条部１０と下縁横袋条部２３が加わって１周が連通した状態で周回袋条部５５を構成している点が特徴である。
【００４８】
図（２Ａ）は前記第２群の中で第４の立体インナーマスク１に関するもので、中央山状縦条部３０を例えば縁かがり縫い等で縫合された中央山状縦突縫条部３１としている点に特徴を有する。中央山状縦突縫条部３１を有しているために、立体インナーマスク１を装着しても、鼻や口に対し湾曲状に浮き上がり、大きな鼻口空間部を形成して呼吸を楽にする効果を発揮する。
この立体インナーマスク１の輪郭部６を構成する周回袋条部５５は、一点鎖線で示された上ワイヤー１１ａが上ワイヤー部１１として内部に挿入された上縁横袋条部１０と、右頬側条部５０として前記右縁袋条部５４と、一転鎖線で示された下ワイヤー２１ａが下ワイヤー部２１として内部に挿入された下縁横袋条部２３（上位概念である顎袋条部２０に相当）と、左頬側条部４０として前記左縁袋条部５３の四辺から形成されている。周回袋条部５５は点線で表された周回状の縫合線５５ｄで縫合され、左側基布５１の左縁５１ｄと右側基布５２の右縁５２ｄも含んで縫合されている。
【００４９】
前記上縁横袋条部１０の中間位置から前記下縁横袋条部２３の中間位置へと中央山状縦条部３０として中央山状縦突縫条部３１が山状形態で且つ突条として線状に形成されている。この中央山状縦突縫条部３１は例えば縁かがり縫い等の縫合技術により突条に形成されたものである。ここでは、二重符号として３１（３０）と書かれている場合には、中央山状縦条部３０として中央山状縦突縫条部３１が縫合形成されていることを示している。他の二重符号も同様であることは云うまでもない。
前記中央山状縦突縫条部３１と左縁袋条部５３の間には左側基布５１が張設されており、前記中央山状縦突縫条部３１と右縁袋条部５４の間には右側基布５２が張設されている。従って、この立体インナーマスク１は、例えばお寺の屋根状のような略多角形体の立体形状をしていると考えられたい。
【００５０】
図（２Ｂ）は前記第２群の中で第５の立体インナーマスク１に関するもので、中央山状縦条部３０として縦ワイヤー３３を挿入した中央山状縦袋条部３２を形成している点に特徴を有する。図１６で後述するように、前記中央山状縦袋条部３２は、全長に亘って縦袋孔３４ａを有しており、この縦袋孔３４ａの中に縦ワイヤー３３が挿入されて山状形態を保持している。
縦ワイヤー３３を挿入した中央山状縦袋条部３２を有しているために、立体インナーマスク１を装着しても、鼻や口に対し強力に湾曲状に浮き上がり、大きな鼻口空間部を形成して呼吸を楽にできる効果を発現できる。他の構造に関しては、図（２Ａ）と同一である。
【００５１】
尚、図示はしていないが、縦ワイヤー３３を挿入した中央山状縦袋条部３２の替わりに、中央山状縦条部３０として図３の（３Ｂ）に示すように、中央山状縦平条部３５を使用しても良い。この中央山状縦平条部３５は平繊維体を複数層積層して厚く強固に形成すれば、山状形態を形成することができる。平繊維体の繊維糸を太くしたり、積層段数を増加することによってより強固な中央山状縦平条部３５を構成でき、マスク装着時に大きな鼻口空間部を形成してマスクを介しての呼吸を楽にすることが可能になる。
【００５２】
図（２Ｃ）は前記第１群の中で第６の立体インナーマスク１に関するもので、中央山状縦条部３０として前記中央山状縦突縫条部３１を有し、左側基布５１に左側袋部６１を形成し、右側基布５２に右側袋部６２を形成している。他の構造に関しては、図（２Ａ）と同一である。
即ち、第６の立体インナーマスク１を特徴づける点は、左側基布５１の上に左側袋部６１が形成され、右側基布５２の上に右側袋部６２が形成されていることだけである。想像線を付したのは左側袋部６１と右側袋部６２の入口が開口されていることを示している。袋部は左側袋部６１だけでもよいし、右側袋部６２だけでもよいし、左側袋部６１と右側袋部６２の両方が形成されてもよい。
この袋部には所望により種々の物を内装することができる。例えば、夏場には、袋部に保冷剤を装着することにより鼻口空間部を冷却でき、冬場には、袋部に保温剤を装着することもできる。その他の助剤として、加湿剤や芳香剤等、所望により種々の助剤を内装することが可能である。
尚、図（２Ｃ）において、中央山状縦条部３０として、前記中央山状縦突縫条部３１だけでなく、縦ワイヤー３３を挿入した中央山状縦袋条部３２を使用してもよいし、中央山状縦平条部３５を使用してもよいことは云うまでもない。
【００５３】
図３は、本発明に属する第３群の３種類の立体インナーマスク１の実施例の斜視図である。第３群とは、輪郭部６が上縁横袋条部１０と湾曲袋条部６０から構成された１本の周回袋条部５５からなる立体インナーマスク１を云う。ここで、（３Ａ）は中央山状縦条部３０を中央山状縦突縫条部３１とした第７の立体インナーマスク１、（３Ｂ）は中央山状縦条部３０を中央山状縦平条部３５とした第８の立体インナーマスク１、（３Ｃ）は中央山状縦突縫条部３１を有して左側袋部６１と右側袋部６２を形成した第９の立体インナーマスク１を示す。
【００５４】
更に詳述すると、図３の（３Ａ）〜（３Ｃ）に図示されるように、前記第３群の立体インナーマスク１では、その輪郭部６は略半楕円形の１本の周回袋条部５５から構成されており、この周回袋条部５５は上縁横袋条部１０と湾曲袋条部６０から構成されることが特徴である。周回袋条部５５は、左側基布５１の湾曲左縁５１ｅと右側基布５２の湾曲右縁５２ｅを内部に含んで縫合線５５ｄで縫合形成されている。湾曲袋条部６０において、左頬側条部４０に相当するのは湾曲左縁袋条部５７であり、右頬側条部５０に相当するのは湾曲右縁袋条部５８であり、顎袋条部２０に相当するのは湾曲顎袋条部５９である。従って、湾曲袋条部６０は、湾曲左縁袋条部５７と湾曲顎袋条部５９と湾曲右縁袋条部５８が連続した状態で構成されている。であり、右頬側条部５０に相当するのは湾曲右縁袋条部５８であり、顎袋条部２０に相当するのは湾曲顎袋条部５９である。
【００５５】
図（３Ａ）は前記第３群の中で第７の立体インナーマスク１に関するもので、中央山状縦条部３０を例えば縁かがり縫い等で縫合された中央山状縦突縫条部３１としている。中央山状縦突縫条部３１を有しているために、立体インナーマスク１を装着しても、鼻や口に対し湾曲状に浮き上がり、大きな鼻口空間部を形成して呼吸を楽にする効果を発揮する。ここでは、二重符号として３１（３０）と書かれている場合には、中央山状縦条部３０として中央山状縦突縫条部３１が縫合形成されていることを示している。他の二重符号も同様であることは云うまでもない。
この立体インナーマスク１の輪郭部６を構成する周回袋条部５５は、一点鎖線で示された上ワイヤー１１ａが上ワイヤー部１１として内部に挿入された上縁横袋条部１０と、１点鎖線で示された下ワイヤー２１ａが挿入された湾曲袋条部６０からなり、下ワイヤー２１ａの左端部２１ｂは湾曲左縁袋条部５７に達し、下ワイヤー２１ａの右端部２１ｃは湾曲右縁袋条部５８に達している。下ワイヤー２１ａのうち湾曲顎袋条部５９に存在している部分を下ワイヤー部２１と呼称している。
【００５６】
図（３Ｂ）は前記第３群の中で第８の立体インナーマスク１に関するもので、中央山状縦条部３０として中央山状縦平条部３２を形成している点に特徴を有する。他の構造に関しては、図（３Ａ）と同一である。
この中央山状縦平条部３５は平繊維体を複数層積層して厚く強固に形成すれば、山状形態を形成することができる。平繊維体の繊維糸を太くしたり、積層段数を増加することによってより強固な中央山状縦平条部３５を構成でき、マスク装着時に大きな鼻口空間部を形成してマスクを介しての呼吸を楽にすることが可能になる。
【００５７】
図（３Ｃ）は前記第３群の中で第９の立体インナーマスク１に関するもので、中央山状縦条部３０として前記中央山状縦突縫条部３１を有し、左側基布５１に左側袋部６１を形成し、右側基布５２に右側袋部６２を形成している。他の構造に関しては、図（３Ａ）と同一である。
即ち、第９の立体インナーマスク１を特徴づける点は、左側基布５１の上に左側袋部６１が形成され、右側基布５２の上に右側袋部６２が形成されていることだけである。想像線を付したのは左側袋部６１と右側袋部６２の入口が開口されていることを示している。袋部は左側袋部６１だけでもよいし、右側袋部６２だけでもよいし、左側袋部６１と右側袋部６２の両方が形成されてもよい。
この袋部には所望により種々の物を内装することができる。例えば、夏場には、袋部に保冷剤を装着することにより鼻口空間部を冷却でき、冬場には、袋部に保温剤を装着することもできる。その他の助剤として、加湿剤や芳香剤等、所望により種々の助剤を内装することが可能である。
尚、図（３Ｃ）において、中央山状縦条部３０として、前記中央山状縦突縫条部３１だけでなく、縦ワイヤー３３を挿入した中央山状縦袋条部３２を使用してもよいし、中央山状縦平条部３５を使用してもよいことは云うまでもない。
【００５８】
図４は、第１群の立体インナーマスク１の実物の写真図であり、（４Ａ）は（１Ａ）の表面写真図、（４Ｂ）は（１Ｃ）の表面写真図である。
図（４Ａ）は、図（１Ａ）に図示された前記第１群の第１の立体インナーマスク１の表面写真図であり、輪郭部６が上縁横袋条部１０と左縁縫条部４１と下縁横袋条部２３と右縁縫条部４２から構成されている。中央山状縦突縫条部３１の左右は、左側基布５１と右側基布５２により密閉されている。
図（４Ｂ）は、図（１Ｃ）に図示された前記第１群の第３の立体インナーマスク１の表面写真図であり、輪郭部６が上縁横袋条部１０と左縁縫条部４１と下縁横袋条部２３と右縁縫条部４２から構成されている。中央山状縦突縫条部３１の左右は、左側基布５１と右側基布５２により密閉されている。その特徴は、左側基布５１に左側袋部６１が形成され、右側基布５２に右側袋部６２が形成されていることである。そして左側袋部６１と右側袋部６２に保冷剤などの助剤を内装して、夏場や冬場の適宜の対応が可能になる。
【００５９】
図５は、第１群の立体インナーマスク１の実物の写真図であり、（５Ａ）は図（１Ａ）の第１の立体インナーマスク１を折り畳んだ状態の側面写真図であり、（５Ｂ）は図（１Ａ）の第１の立体インナーマスク１を裏側から撮影した裏側写真図である。符号の部材名称は図（１Ａ）と同様である。
【００６０】
図６は、第２群と第３群の立体インナーマスク１の実物の写真図であり、（６Ａ）は（２Ａ）を裏側から撮影した裏側写真図、（６Ｂ）は（３Ｂ）の表面写真図である。
（６Ａ）は、（２Ａ）に示される第４の立体インナーマスク１を裏側から撮影した裏側写真図であり、輪郭部６は１本の周回袋条部５５で形成され、この周回袋条部５５は上縁横袋条部１０と右縁袋条部５４と下縁横袋条部２３と左縁袋条部５３の四辺から構成されている。
（６Ｂ）は、（３Ｂ）に示される第８の立体インナーマスク１の表面写真図であり、輪郭部６は１本の周回袋条部５５で形成され、この周回袋条部５５は上縁横袋条部１０と湾曲袋条部６０から構成され、更に前記湾曲袋条部６０は湾曲左縁袋条部５７と湾曲顎袋条部５９と湾曲右縁袋条部５８から構成されている。また、その中央山状縦条部３０は縫合線３５ａで縫合固定された中央山状縦平条部３５から形成されている。後述するように、中央山状縦平条部３５は、左側基布５１と右側基布５２の突合部を折り返して縫合線３５ａで縫合して形成されている。しかも太繊維を使用しているから、中央山状縦平条部３５は厚く形成され、中央山状形態を強力に保持できる。
【００６１】
図７は、第３群の立体インナーマスク１の実物の写真図であり、（７Ａ）は（３Ａ）の表側写真図であり、（７Ｂ）は（３Ａ）を裏側から撮影した裏側写真図である。
（７Ａ）は、（３Ａ）に示される第７の立体インナーマスク１の表面写真図であり、輪郭部６は１本の周回袋条部５５で形成され、この周回袋条部５５は上縁横袋条部１０と湾曲袋条部６０から構成され、更に前記湾曲袋条部６０は湾曲左縁袋条部５７と湾曲顎袋条部５９と湾曲右縁袋条部５８から構成されている。また、その中央山状縦条部３０は中央山状縦突縫条部３１から形成されている。この中央山状縦突縫条部３１により鼻口空間部を大きく形成できるため呼吸が楽になり、左側基布５１と右側基布５２は目が粗く形成されているから繊維面を介しての呼吸も極めて楽になる特性を有している。
（７Ｂ）は、（３Ａ）に示される第７の立体インナーマスク１を裏側から撮影した裏側写真図である。符号は（７Ａ）と同一であり、中央山状縦突縫条部３１により鼻口空間部が大きく形成されていることが明示されている。
【００６２】
図８は第1群と第３群の立体インナーマスク１を装着したときに顎前部７７に開口される山状開口部７８を発現させた状態のマスク装着図であり、（８Ａ）は（１Ａ）を装着したマスク装着図、（８Ｂ）は（３Ｂ）を装着したマスク装着図である。
（８Ａ）は、図（１Ａ）に示された第１群の第１の立体インナーマスク１を装着した状態のマスク装着図であり、顎前部７７に対し下ワイヤー部を立てることにより下縁横袋条部２３に山状開口部７８を立設した状態を示している。マスク面を介しての呼吸がしんどくなった時に、この山状開口部７８を立設すれば下方外気との通気口が完成し、下方外気との間で楽に呼吸ができるようになり、これが本発明の最大の特徴である。
（８Ｂ）は、図（３Ｂ）に示された第３群の第８の立体インナーマスク１を装着した状態のマスク装着図であり、顎前部７７に対し下ワイヤー部を立てることにより湾曲顎袋条部５９に山状開口部７８を立設した状態を示している。マスク面を介しての呼吸がつらくなった時に、この山状開口部７８を立設すれば下方外気との通気口が完成し、下方外気との間で楽に呼吸ができるようになり、これこそ本発明の最大の特徴である。
【００６３】
図９の（９Ａ）は下ワイヤー部２１の左右両端が下縁だけで途切れた本発明に係る立体インナーマスク１の上側に立体性の無い平マスク２を積層使用した組合せ立体マスク３の顔装着側面図、（９Ｂ）は山状開口部７８を立設した状態の顔装着側面図である。
（９Ａ）の立体インナーマスク１は、図１（１Ａ）〜（１Ｃ）及び図２（２Ａ）に示される第１〜第４の立体インナーマスク１に相当し、実際には上ワイヤー部１１は上ワイヤー１１ａから構成され、下ワイヤー部２１は下ワイヤー２１ａから構成されている。この立体インナーマスク１の中央山状縦条部３０の山状保持力により平マスク２を押し上げており、鼻７１及び口７２の前方に大きな鼻口空間部７０を形成できる。この大きな鼻口空間部７０により、右頬側条部５０を含む輪郭部が顔面と密着していてもマスク装着による息苦しさは解消される。
（９Ｂ）では、この立体インナーマスク１と平マスク２を積層使用した組合せ立体マスク３を装着して息苦しくなった時には、下ワイヤー部２１を顎前面７７に対し手指操作で立てて山状開口部７８を強制的に立設し、鼻口空間部７０と下方外気とが山状開口部７８を介して連通状態になる。従って、人は下方外気との間で呼吸でき、即ち下方外気を吸引して下方外気に向かって吐き出すことができ、マスクを装着した状態のままで外気呼吸により息苦しさから解放される特段の効果を発揮することができる。
【００６４】
図１０の（１０Ａ）は下ワイヤー部２１の左右両端が頬上部まで到達している本発明に係る立体インナーマスク１の上側に立体性の無い平マスク２を積層使用した組合せ立体マスク３の顔装着側面図、（１０Ｂ）は山状開口部７８を立設した状態の顔装着側面図である。
（１０Ａ）の立体インナーマスク１は、図２（２Ｂ）及び図３（３Ａ）〜（３Ｂ）に示される第５、７、８の立体インナーマスク１に相当し、実際には上ワイヤー部１１は上ワイヤー１１ａから構成され、下ワイヤー部２１は下ワイヤー２１ａから構成され、下ワイヤー２１ａの右端部２１ｃが頬上部に達している。図（９Ａ）と同様に、この立体インナーマスク１の中央山状縦条部３０の山状保持力により平マスク２を押し上げており、大きな鼻口空間部７０により、マスク装着による息苦しさは解消される。
（１０Ｂ）では、この立体インナーマスク１と平マスク２を積層使用した組合せ立体マスク３を装着して息苦しくなった時には、下ワイヤー部２１を顎前面７７に対し手指操作で立てて山状開口部７８を強制的に立設し、鼻口空間部７０と下方外気とが山状開口部７８を介して連通状態になる。従って、マスクを装着した状態のままで外気呼吸により息苦しさから解放される特段の効果を発揮することができる。
【００６５】
図１１の（１１Ａ）は上ワイヤー部１１と下ワイヤー部２１が連続した周回ワイヤー５６を用いた本発明に係る立体インナーマスク１の上側に立体性の無い平マスク２を積層使用した組合せ立体マスク３の顔装着側面図、（１１Ｂ）はその山状開口部７８を立設した状態の顔装着側面図である。
（１１Ａ）の立体インナーマスク１は、図２（２Ｃ）及び図３（３Ｃ）に示される第６、９の立体インナーマスク１に相当する。１本の周回ワイヤー５６が使用されているから、周回ワイヤー５６の上縁部である上ワイヤー部１１と下縁部である下ワイヤー部２１が図示されている。図（９Ａ）と同様に、この立体インナーマスク１の中央山状縦条部３０の山状保持力により平マスク２を押し上げており、大きな鼻口空間部７０により、マスク装着による息苦しさは解消される。
（１１Ｂ）では、この立体インナーマスク１と平マスク２を積層使用した組合せ立体マスク３を装着して息苦しくなった時には、下ワイヤー部２１を顎前面７７に対し手指操作で立てて山状開口部７８を強制的に立設し、鼻口空間部７０と下方外気とが山状開口部７８を介して連通状態になる。従って、マスクを装着した状態のままで外気呼吸により息苦しさから解放される特段の効果を発揮することができる。
【００６６】
図１２は、縦ワイヤー３３を有した本発明に係る立体インナーマスク１の上側に立体性の無い平マスク２を積層使用した組合せ立体マスク３の顔装着側面図である。
図１２に示される立体インナーマスク１は、直接的には図（１Ｂ）の第２の立体インナーマスク１が相当するが、縦ワイヤー３３を使用しているという観点では、図（２Ｂ）の第５の立体インナーマスク１も相当すると云える。
鼻７１と口７２を塞ぐように本発明に係る立体インナーマスク1を装着する。上ワイヤー部１１は鼻７１の横形状に沿うように押し当てられて鼻７１を密閉する。下ワイヤー部２１は顎前部７７の横形状に沿うように押し当てられて顎前部７７を密閉する。左頬側条部４０と右頬側条部５０は左右の頬面に密閉配置される。中央山状縦条部３０としては縦ワイヤー３３を挿入した中央山状縦袋条部３２が使用され、縦ワイヤー３３により安定した強固な山状形態を保持できる。従って、鼻口部の前方に大きな鼻口空間部７０形成でき、マスク繊維面が鼻口部に接触することが無いのでマスク繊維面を介しての呼吸を一層に楽にすることができる。
上記立体インナーマスク１の上側に立体性の無い平マスク２、例えばプリーツマスクを積層配置する。具体的には。そのノーズワイヤー４を上ワイヤー部１１より上の鼻位置に配置し、その下端を下ワイヤー部２１より下方の顎下部又は喉位置に当て、二点鎖線で示すゴム輪を耳７３に掛けて固定する。このように使用すると、立体性の無い平マスク２が本発明に係る立体インナーマスク１と組み合わされて、組合せ立体マスク３が完成する。
従って、本発明に係る立体インナーマスク１を使用すれば、ウィルスや細菌や花粉や粉塵などの侵入を確実に遮断できる。しかも、鼻口空間部７０が大きく形成保持されるので、マスクの繊維面を介しての呼吸は比較的楽に行うことができる。
【００６７】
図１３は、左側袋部６１と右側袋部６２を有した本発明に係る立体インナーマスク１の上側に立体性の無い平マスク２を積層使用した組合せ立体マスク３の顔装着側面図である。
図１３に示される立体インナーマスク１は、直接的には図（１Ｃ）の第３の立体インナーマスク１が相当するが、左側袋部６１と右側袋部６２を有しているという観点では、図（２Ｃ）と図（３Ｃ）の第６、９の立体インナーマスク１も相当すると云える。
図１３の立体インナーマスク１は、中央山状縦条部３０で大きな鼻口空間部７０を形成し、特に左側袋部６１と右側袋部６２を有することを特徴としている。マスク内部の鼻口空間部７０は密閉されているから、熱気が溜まりやすい傾向にある。そこで、夏場は保冷剤７５を前記左側袋部６１と右側袋部６２に内装することによって、鼻口空間部７０を冷却して息苦しさを解消できる利点がある。
袋部に内装される助剤は保冷剤に限られず、保温剤や加湿剤や芳香剤等、所望により種々の助剤を内装することが可能である。
このように使用すると、立体性の無い平マスク２が本発明に係る立体インナーマスク１と組み合わされて、組合せ立体マスク３が完成される。
【００６８】
図１４は、図１（１Ａ）に示される第１の立体インナーマスク１を製造する前半工程図である。
（１４Ａ）は、左側基布５１とほぼ対称的に同型の右側基布５２との配置工程図である。輪郭が上縁５１ｂと下縁５１ｃと左縁５１ｄと左側山状縁５１ａからなる左側基布５１と、輪郭が上縁５２ｂと下縁５２ｃと右縁５２ｄと右側山状縁５２ａからなる右側基布５２とが、前記左側山状縁５１ａと前記右側山状縁５２ａとが対向するように配置される。
（１４Ｂ）は、左側基布５１の左側山状縁５１ａとほぼ対称的に同型の右側基布５２の右側山状縁５２ａとが突き合わされた状態の突合工程図である。一点鎖線は左側山状縁５１ａと右側山状縁５２ａが山状であることを示すために引かれているだけである。
（１４Ｃ）は、中央山状縦条部３０が中央山状縦突縫条部３１として形成される縫合工程図である。上述のように突き合わされた左側山状縁５１ａと右側山状縁５２ａが、例えば縁かがり縫いなどの縫合技術により、中央山状縦突縫条部３１として突条に湾曲形成される。更に、前記上縁５１ｂと前記上縁５２ｂの上側に並行状態で且つ横幅を略一致させて、袋孔１２ａを有する断面Ｕ字状のＵ字帯１２が配置され、前記下縁５１ｃと前記下縁５２ｃの下側に並行状態で且つ横幅を略一致させて、袋孔２２ａを有する断面Ｕ字状のＵ字帯２２が配置される。
【００６９】
図１５は、図１（１Ａ）に示される第１の立体インナーマスク１を製造する後半工程図である。
（１５Ａ）は、上ワイヤー１１ａと下ワイヤー２１ａの配置並びに上縁横袋状部１０と下縁横袋状部２３の配置工程図である。まず、中央山状縦突縫条部３１の上端部３１ａを含めて上縁５１ｂと上縁５２ｂをＵ字帯１２で狭着し、縫合線１０ｄのように縫着して上縁横袋状部１０を形成する。同様に、中央山状縦突縫条部３１の下端部３１ｂを含めて下縁５１ｃと下縁５２ｃをＵ字帯２２で狭着し、縫合線２３ｄのように縫着して下縁横袋状部２３を形成する。更に、上ワイヤー１１ａを袋孔１２ａの横に配置し、下ワイヤー２１ａを袋孔２２ａの横に配置する。
（１５Ｂ）は、上下ワイヤー１１ａ、２１ａを袋孔１２ａ、２２ａへ夫々挿着する挿入完了図である。上ワイヤー１１ａの全長を上縁横袋状部１０の袋孔１２ａの所定位置まで挿入配置し、続いて下ワイヤー２１ａの全長を下縁横袋状部２３の袋孔２２ａの所定位置まで挿入配置する。
（１５Ｃ）は、第１の立体インナーマスク１の完成工程図である。上縁横袋状部１０の左端部１０ｂと下縁横袋状部２３の左端部２３ｂを含んで左縁５１ｄを例えば縁かがり縫い等で縫着して左縁縫条部４１を形成し、更に上縁横袋状部１０の右端部１０ｃと下縁横袋状部２３の右端部２３ｃを含んで右縁５２ｄを例えば縁かがり縫い等で縫着して右縁縫条部４２を形成する。最終的に、図１（１Ａ）の第１の立体インナーマスク１が完成される。
【００７０】
図１４の前半工程と図１５の後半工程の必須部分を纏めた全体工程を説明すると、本発明に係る第１の立体インナーマスク１の製造方法が、下記のように３段階で構成される。
本製造方法発明の第１段階は、輪郭が上縁５１ｂと下縁５１ｃと左縁５１ｄと左側山状縁５１ａからなる左側基布５１と、この左側基布５１と対称的に略同型で、輪郭が上縁５２ｂと下縁５２ｃと右縁５２ｄと右側山状縁５２ａからなる右側基布５２とを、前記左側山状縁５１ａと前記右側山状縁５２ａとが対向するように重ねて、前記左側山状縁５１ａと前記右側山状縁５２ａとを縫着して中央山状縦突縫条部３１を中央山状縦条部３０として形成することである。
本製造方法発明の第２段階は、前記左側基布５１の上縁５１ｂと前記右側基布５２の上縁５２ｂと前記中央山状縦突縫条部３１の上端部３１ａとをＵ字帯１２により狭着して全長に亘って袋孔１２ａを有するように一体に縫合し、且つ前記左側基布５１の下縁５１ｃと前記右側基布５２の下縁５２ｃと前記中央山状縦突縫条部３１の下端部３１ｂとをＵ字帯２２により狭着して全長に亘って袋孔２２ａを有するように縫合し、その縫合により前記Ｕ字帯１２を上縁横袋状部１０に前記Ｕ字帯２２を下縁横袋状部２３にすることである。
本製造方法発明の第３段階は、上縁側の前記袋孔１２ａに上ワイヤー１１ａを挿入し、且つ下縁側の前記袋孔２２ａに下ワイヤー２１ａを挿入し、前記左側基布５１の左縁５１ｄと前記上縁横袋状部１０の左端部１０ｂと前記下縁横袋状部２３の左端部２３ｂの全長を縫着して左縁縫条部４１を形成し、且つ前記右側基布５２の右縁５２ｄと前記上縁横袋状部１０の右端部１０ｃと前記下縁横袋状部２３の右端部２３ｃの全長を縫着して右縁縫条部４２を形成することである。
従って、本製造方法発明は前記第１段階から前記第３段階までを特徴とする。
【００７１】
図１６は、図１（１Ｂ）に示される第２の立体インナーマスク１を製造する要部工程図である。
（１６Ａ）は、左側基布５１の左側山状縁５１ａとこれと対称的に略同型の右側基布５２の右側山状縁５２ａとが重ね合わされた状態の重合図である。一点鎖線は左側山状縁５１ａと右側山状縁５２ａが山状であることを示すために引かれているだけである。また、全長に縦袋孔３４ａを有する縦Ｕ字帯３４を配置し、前記縦袋孔３４ａに挿入される縦ワイヤー３３が配置される。
（１６Ｂ）は、左側山状縁５１ａと右側山状縁５２ａの重合部を前記中央山状縦Ｕ字帯３４で狭着して縫合線３２ｄで縫合し、中央山状縦袋条部３２を形成する縫合図である。そして縦ワイヤー３３を前記中央山状縦袋条部３２の縦袋孔３４ａの全長に挿入すると、中央山状縦袋条部３２が中央山状縦条部３０として形成される。そのため中央山状縦袋条部３２（３０）の符号で示される。
（１６Ｃ）は最終完成図であり、前述したように、図１４の（１４Ｃ）及び図１５の（１５Ａ）・（１５Ｂ）の各工程を経ることによって、最終的に図１（１Ｂ）に図示される第２の立体インナーマスク１が完成される。
【００７２】
縦ワイヤー３３を挿入した中央山状縦袋条部３２を有する第２の立体インナーマスク１の製造方法の全体工程は、下記のように３段階で構成される。
本製造方法の第１段階は、輪郭が上縁５１ｂと下縁５１ｃと左縁５１ｄと左側山状縁５１ａからなる左側基布５１と、この左側基布５１と対称的に略同型で、輪郭が上縁５２ｂと下縁５２ｃと右縁５２ｄと右側山状縁５２ａからなる右側基布５２とを、前記左側山状縁５１ａと前記右側山状縁５２ａとが対向するように重ね、前記左側山状縁５１ａと前記右側山状縁５２ａとを縦Ｕ字帯３４により狭着して全長に亘って縦袋孔３４ａを有するように縫合線３２ｄで一体に縫合し、前記縦袋孔３４ａに縦ワイヤー３３を挿入して中央山状縦袋条部３２を中央山状縦条部３０として形成することである。
本製造方法の第２段階は、前記左側基布５１の上縁５１ｂと前記右側基布５２の上縁５２ｂと前記中央山状縦袋条部３２の上端部３２ａとをＵ字帯１２により狭着して全長に亘って袋孔１２ａを有するように一体に縫合し、且つ前記左側基布５１の下縁５１ｃと前記右側基布５２の下縁５２ｃと前記中央山状縦袋条部３２の下端部３２ｂとをＵ字帯２２により狭着して全長に亘って袋孔２２ａを有するように縫合し、その縫合によりＵ字帯１２を上縁横袋状部１０にし、前記Ｕ字帯２２を下縁横袋状部２３にすることである。
本製造方法の第３段階は、上縁側の前記袋孔１２ａに上ワイヤー１１ａを挿入し、且つ下縁側の前記袋孔２２ａに下ワイヤー２１ａを挿入し、前記左側基布５１の左縁５１ｄと前記上縁横袋状部１０の左端部１０ｂと前記下縁横袋状部２３の左端部２３ｂの全長を縫着して左縁縫条部４１を形成し、且つ前記右側基布５２の右縁５２ｄと前記上縁横袋状部１０の右端部１０ｃと前記下縁横袋状部２３の右端部２３ｃの全長を縫着して右縁縫条部４２を形成することである。
従って、本製造方法発明は前記第１段階から前記第３段階までを特徴とする。
【００７３】
図１７は、図２（２Ａ）に示される第４の立体インナーマスク１を製造する要部工程図である。
（１７Ａ）の組立図を説明する。まず、図（１４Ｃ）に示されるように、左側基布５１の左側山状縁５１ａと右側基布５２の右側山状縁５２ａを縫合して中央山状縦突縫条部３１を形成する。この中央山状縦突縫条部３１を形成した左側基布５１と右側基布５２を中央に配置する。その上縁に上ワイヤー１１ａを配置し、その下縁に下ワイヤー２１ａを配置する。更に、それらを取り巻くように、袋孔１２ａを有した周回状のＵ字帯１２を周回配置する。
この周回状のＵ字帯１２は、その袋孔１２ａに上ワイヤー１１ａと下ワイヤー２１ａを挿入し、左側基布５１と右側基布５２の周囲に袋孔１２ａで狭着して縫合すると、周回袋条部５５に変化する。この周回袋条部５５は四辺である左縁袋条部５３と上縁横袋条部１０と右縁袋条部５４と下縁横袋条部２３から構成される。
（１７Ｂ）は縫合完成図を示し、図（２Ａ）の第４の立体インナーマスク１が完成される。周回袋条部５５は上ワイヤー１１ａと下ワイヤー２１ａを挿入して周回状の縫合線５５ｄにより縫合完成される。
【００７４】
図１８において、（１８Ａ）は図（２Ｂ）に示される第５の立体インナーマスク１を製造する要部組立図、（１８Ｂ）は図（２Ｃ）に示される第６の立体インナーマスク１を製造する要部組立図である。
（１８Ａ）の要部組立図を説明する。まず、図（１６Ｂ）に示されるように、左側基布５１の左側山状縁５１ａと右側基布５２の右側山状縁５２ａを合せて縦ワイヤー３３が挿入された中央山状縦袋条部３２を形成する。この中央山状縦袋条部３２を形成した左側基布５１と右側基布５２を中央に配置する。その上縁側に上ワイヤー１１ａを配置し、その下縁側に両端部が上方に突き出たＵ字形状の下ワイヤー２１ａを配置する。更に、それらを取り巻くように、袋孔１２ａを有した周回状のＵ字帯１２を周回配置する。
この周回状のＵ字帯１２では、その袋孔１２ａに上ワイヤー１１ａと下ワイヤー２１ａを挿入し、左側基布５１と右側基布５２の周囲にＵ字帯１２を袋孔１２ａで狭着して縫合すると、周回袋条部５５に変化する。この周回袋条部５５は、左縁袋条部５３と上縁横袋条部１０と右縁袋条部５４と下縁横袋条部２３を四辺として構成される。その結果、図（２Ｂ）に示される第５の立体インナーマスク１が完成される。
次に、（１８Ｂ）の要部組立図を説明する。（１８Ａ）との相違点は、中央山状縦袋条部３２に替えて中央山状縦突縫条部３１が形成され、左側基布５１と右側基布５２に左側袋部６１と右側袋部６２が形成されており、周回ワイヤー５６が周回状に配置されていることである。（１８Ａ）と同様の手順で、図（２Ｃ）の第６の立体インナーマスク１が完成される。
【００７５】
図１９は、図３（３Ｂ）に示される立体インナーマスク１を製造する製造工程図である。
（１９Ａ）では、左側基布５１とほぼ対称的に同型の右側基布５２との配置工程図である。輪郭が上縁５１ｂと湾曲左縁５１ｅと左側山状縁５１ａからなる左側基布５１と、輪郭が上縁５２ｂと湾曲右縁５２ｅと右側山状縁５２ａからなる右側基布５２とが、前記左側山状縁５１ａと前記右側山状縁５２ａとが対向するように配置される。一点鎖線で示される左側折返し片５１ｆと右側折返し片５２ｆを対向接合させて一点鎖線に沿って縫合する。左側折返し片５１ｆを折り返して左側基布５１と縫合線３５ａで縫合する。同様に、右側折返し片５２ｆを折り返して右側基布５２と縫合線３５ａで縫合する。その結果、（１９Ｂ）に示されるように、左側基布５１と右側基布５２に中央山状縦平条部３５が形成される。
（１９Ｂ）では、中央山状縦平条部３５が形成され左側基布５１と右側基布５２が中央に配置される。その上縁側に上ワイヤー１１ａを配置し、更にその上縁側に、袋孔１２ａを有した上縁と略同長のＵ字帯１２を配置する。また、下縁側に左端部２１ｂと右端部２１ｃが上方に突き出たＵ字形状の下ワイヤー２１ａを配置する。下ワイヤー２１ａの底近傍が下ワイヤー部２１である。更に、それらを取り巻くように、袋孔２２ａを有したＵ字状のＵ字帯２２を配置する。Ｕ字帯１２、２２は長さが違うだけで断面構造は同一である。縫合されると、Ｕ字帯１２は上縁横袋条部１０になり、Ｕ字帯２２は、湾曲左縁袋条部５７と湾曲顎袋条部５９と湾曲右縁袋条部５８からなる湾曲袋条部６０になる。
（１９Ｃ）では、上ワイヤー１１ａを袋孔１２ａに挿着し、左側基布５１と右側基布５２の上縁をＵ字帯１２で狭着して縫合線５５ｄで縫合する。更に、下ワイヤー２１ａを袋孔２２ａに挿着し、湾曲左縁５１ｅと湾曲右縁５２をＵ字帯２２で狭着して縫合線５５ｄで周回状に縫合する。その結果、輪郭部６として、上縁横袋条部１０と、湾曲左縁袋条部５７と湾曲顎袋条部５９と湾曲右縁袋条部５８からなる湾曲袋条部６０が形成される。
この周回状のＵ字帯１２では、その袋孔１２ａに上ワイヤー１１ａと下ワイヤー２１ａを挿入し、左側基布５１と右側基布５２の周囲にＵ字帯１２を袋孔１２ａで狭着して縫合すると、周回袋条部５５に変化する。この周回袋条部５５は、左縁袋条部５３と上縁横袋条部１０と右縁袋条部５４と下縁横袋条部２３を四辺として構成される。その結果、図（２Ｂ）に示される第５の立体インナーマスク１が完成される。
【００７６】
図２０では、（２０Ａ）は図３（３Ａ）に示される第７の立体インナーマスク１を製造する組立図、（２０Ｂ）は図３（３Ｃ）に示される第９の立体インナーマスク１を製造する組立図である。
（２０Ａ）では、中央山状縦突縫条部３１が形成され左側基布５１と右側基布５２が中央に配置される。その上縁側に上ワイヤー１１ａを配置し、更にその上縁側に、袋孔１２ａを有した上縁と略同長のＵ字帯１２を配置する。また、下縁側に左端部２１ｂと右端部２１ｃが上方に突き出たＵ字形状の下ワイヤー２１ａを配置する。下ワイヤー２１ａの底近傍が下ワイヤー部２１である。更に、それらを取り巻くように、袋孔２２ａを有したＵ字状のＵ字帯２２を配置する。Ｕ字帯１２、２２は長さが違うだけで断面構造は同一である。縫合されると、Ｕ字帯１２は上縁横袋条部１０になり、Ｕ字帯２２は、湾曲左縁袋条部５７と湾曲顎袋条部５９と湾曲右縁袋条部５８からなる湾曲袋条部６０になる。
ワイヤー１１ａを袋孔１２ａに挿着し、左側基布５１と右側基布５２の上縁をＵ字帯１２で狭着して縫合する。更に、下ワイヤー２１ａを袋孔２２ａに挿着し、湾曲左縁５１ｅと湾曲右縁５２ｅをＵ字帯２２で狭着して周回状に縫合する。その結果、輪郭部６として、上縁横袋条部１０と、湾曲左縁袋条部５７と湾曲顎袋条部５９と湾曲右縁袋条部５８からなる湾曲袋条部６０が形成される。この結果、図３（３Ａ）に示される第７の立体インナーマスク１が完成される。
（２０Ｂ）では、中央山状縦突縫条部３１が形成され左側基布５１と右側基布５２が中央に配置される。左側基布５１には左側袋部６１が形成され、右側基布５２には右側袋部６２が形成されている。左側基布５１と右側基布５２の周囲を取り巻くように１本の周回ワイヤー５６を配置する。周回ワイヤー５６のうち上側部分が上ワイヤー部１１になり、下方Ｕ字形状の底部近傍が下ワイヤー部２１になる。上ワイヤー部１１の上縁側に、袋孔１２ａを有した上縁と略同長のＵ字帯１２を配置する。また、湾曲左縁５１ｅと湾曲右縁を取り巻くように、袋孔２２ａを有したＵ字状のＵ字帯２２を配置する。Ｕ字帯１２、２２は長さが違うだけで断面構造は同一である。縫合されると、Ｕ字帯１２は上縁横袋条部１０になり、Ｕ字帯２２は、湾曲左縁袋条部５７と湾曲顎袋条部５９と湾曲右縁袋条部５８からなる湾曲袋条部６０になる。
周回ワイヤー５６のうち、上ワイヤー部１１を袋孔１２ａに挿着し、左側基布５１と右側基布５２の上縁をＵ字帯１２で狭着して縫合する。更に、周回ワイヤー５６のうち、下方のＵ字状部を袋孔２２ａに挿着し、湾曲左縁５１ｅと湾曲右縁５２ｅをＵ字帯２２で狭着して周回状に縫合する。その結果、輪郭部６として、上縁横袋条部１０と、湾曲左縁袋条部５７と湾曲顎袋条部５９と湾曲右縁袋条部５８からなる湾曲袋条部６０が形成される。この結果、図３（３Ｃ）に示される第９の立体インナーマスク１が完成される。
【００７７】
本発明は、上記実施例や変形例に限定されるものではなく、本発明の技術的思想を逸脱しない範囲における種々変形例、設計変更などをその技術的範囲内に包含するものであることは云うまでもない。
【産業上の利用可能性】
【００７８】
本発明は、立体性を有していないプリーツマスク等の平マスクを装着する場合に、その内側で直接的に鼻口部を覆って大きな鼻口空間部を確保でき、しかも息苦しいときに必要に応じて顎前部に山状開口部を安定状態で形成して、鼻口空間部と下方外気とを通気状態にして呼吸を極めて楽に行うことができる立体インナーマスクを提供し、しかもその立体インナーマスクを立体性の無い平マスクと組み合わせた組合せ立体マスクを提供することができる。特に、近年の新型コロナ対策において立体マスクとして大いに貢献するものである。
【符号の説明】
【００７９】
１        立体インナーマスク
２        平マスク（立体性の無い平マスク）
３        組合せ立体マスク
４        ノーズワイヤー
６        輪郭部
１０      上縁横袋条部
１０ｂ    左端部
１０ｃ    右端部
１０ｄ    縫合線
１１      上ワイヤー部
１１ａ    上ワイヤー
１２      Ｕ字帯
１２ａ    袋孔
２０      顎袋条部
２１      下ワイヤー部
２１ａ    下ワイヤー
２１ｂ    左端部
２１ｃ    右端部
２２      Ｕ字帯
２２ａ    袋孔
２３      下縁横袋条部
２３ｂ    左端部
２３ｃ    右端部
２３ｄ    縫合線
３０      中央山状縦条部
３１      中央山状縦突縫条部
３１ａ    上端部
３１ｂ    下端部
３２      中央山状縦袋条部
３２ａ    上端部
３２ｂ    下端部
３３      縦ワイヤー
３４      縦Ｕ字帯
３４ａ    縦袋孔
３５      中央山状縦平条部
３５ａ    縫合線
４０      左頬側条部
４１      左縁縫条部
４２      右縁縫条部
５０      右頬側条部
５１      左側基布
５１ａ    左側山状縁
５１ｂ    上縁
５１ｃ    下縁
５１ｄ    左縁
５１ｅ    湾曲左縁
５１ｆ    左側折返し片
５２      右側基布
５２ａ    右側山状縁
５２ｂ    上縁
５２ｃ    下縁
５２ｄ    右縁
５２ｅ    湾曲右縁
５２ｆ    右側折返し片
５３      左縁袋条部
５４      右縁袋条部
５５      周回袋条部
５５ｄ    縫合線
５６      周回ワイヤー
５７      湾曲左縁袋条部
５８      湾曲右縁袋条部
５９      湾曲顎袋条部
６０      湾曲袋条部
６１      左側袋部
６２      右側袋部
７０      鼻口空間部
７１      鼻
７２      口
７３      耳
７５      保冷剤
７７      顎前部
７８      山状開口部
【要約】
【課題】立体性の無い平マスクと共用される立体インナーマスクを提供する。
【解決手段】本発明の立体インナーマスク１は、輪郭部６が鼻７１に当接する上縁横袋条部１０と顎前部７７に当接する顎袋条部２０と両頬に当接する左頬側条部４０と右頬側条部５０から連続して構成され、上縁横袋条部１０には上ワイヤー部１１が挿入され、顎袋条部２０には下ワイヤー部２１が挿入され、上縁横袋条部１０の中間位置と顎袋条部２０の中間位置を結ぶように中央山状縦条部３０が形成されており、中央山状縦条部３０により鼻口の前方に鼻口空間部７０が形成され、中央山状縦条部３０の左側は左側基布５１で密閉され、中央山状縦条部３０の右側は右側基布５２で密閉されており、下ワイヤー部２１を顎前部７７に対し山状に湾曲させて山状開口部７８を立設でき、山状開口部７８を介して鼻口空間部７０と下方外気を連通させて呼吸を楽にすることを特徴とする。
【選択図】図１【図１】
0006840345.tif 000002
【図２】
0006840345.tif 000003
【図３】
0006840345.tif 000004
【図４】
0006840345.tif 000005
【図５】
0006840345.tif 000006
【図６】
0006840345.tif 000007
【図７】
0006840345.tif 000008
【図８】
0006840345.tif 000009
【図９】
0006840345.tif 000010
【図１０】
0006840345.tif 000011
【図１１】
0006840345.tif 000012
【図１２】
0006840345.tif 000013
【図１３】
0006840345.tif 000014
【図１４】
0006840345.tif 000015
【図１５】
0006840345.tif 000016
【図１６】
0006840345.tif 000017
【図１７】
0006840345.tif 000018
【図１８】
0006840345.tif 000019
【図１９】
0006840345.tif 000020
【図２０】
0006840345.tif 000021
【図２１】
0006840345.tif 000022
【図２２】
0006840345.tif 000023
【図２３】
0006840345.tif 000024